(57)【要約】【課題】光源の光度が不足した室内においても、照明光源を有する板体を直接利用し、照明の効果を達成することができる照明光源を有する板体構造を提供することである。【解決手段】照明光源を有する板体構造は、第１表面と少なくとも１つの収容空間を有する板体と、収容空間中に設置される光源モジュールとを含む。光源モジュールを収容空間中に設置することによって、光源モジュールが発生する光線を上向きに投射させ、板体上に置かれ、収容空間付近に接近する物体を照明することに用い、光線を例えば麻雀ゲームの麻雀牌等の物体上に集中投射する効果を達成する。【選択図】図１
0003140627.tif 000002
【実用新案登録請求の範囲】
【請求項１】
第１表面と少なくとも１つの収容空間を有する板体と、
該収容空間中に設置される光源モジュールと、
を含む照明光源を有する板体構造。
【請求項２】
前記板体が正方形板体である請求項１記載の照明光源を有する板体構造。
【請求項３】
前記板体が正方形板体であり、該板体が４つの該収容空間を有し、該収容空間が相互に垂直且つ平行である請求項１記載の照明光源を有する板体構造。
【請求項４】
前記収容空間が貫通空間である請求項１記載の照明光源を有する板体構造。
【請求項５】
前記収容空間が第２表面を有し、且つ該第２表面が該第１表面と平行であり、該光源モジュールが該第２表面上に設置される請求項１記載の照明光源を有する板体構造。
【請求項６】
前記収容空間が第２表面を有し、且つ該第２表面が斜面であり、該光源モジュールが該第２表面上に設置される請求項１記載の照明光源を有する板体構造。
【請求項７】
前記光源モジュールが発光二極体光源モジュールである請求項１記載の照明光源を有する板体構造。
【請求項８】
前記光源モジュールが灯管である請求項１記載の照明光源を有する板体構造。
【請求項９】
更に、光透過部材を有し、該収容空間の上部に設置し、該光透過部材が第３表面を有し、該第３表面が該第１表面と接合して平面となる請求項１記載の照明光源を有する板体構造。
【請求項１０】
前記収容空間に更に、該光透過部材を載置する載置部を有する請求項９記載の照明光源を有する板体構造。
【請求項１１】
前記光透過部材は、アクリル、透明ガラス、曇りガラス、または拡散板である請求項９記載の照明光源を有する板体構造。
【考案の詳細な説明】
【技術分野】
【０００１】
本考案は、板体構造の照明光源に関し、特に、麻雀卓等のゲーム卓に応用できる照明光源を有する板体構造に関する。
【背景技術】
【０００２】
牌類ゲームを行う時、例えば、麻雀、ブリッジ等の牌類ゲームを行う時、プレイヤーは、１つのテーブルの周りを囲み、一定数量の牌を分配されゲームを行う。プレイヤーは、自分の手にある牌面の模様を正確に見ることできるように、牌面の模様を自己に向けて立てる必要があり、同時に相手に自分の手にある牌を見られることを回避する必要がある。
一般的に言えば、牌類ゲームは、通常室内で行い、室内で使用する照明は、天井の室内灯であり、室内灯が光線を高い箇所から下に投射し、照明の効果を達成する。但し、これらの照明の方式は、プレイヤーの手にある牌面模様がバックライト面に位置し、陰影を作り、プレイヤーが手にある牌を正確に見ることができなくする。正確に牌面模様を見るために、牌の角度を調整する必要があり、光線に牌面模様を照らさせるが、相手に自己の牌を見られる可能性がある。従って、照明の方式を改善し、プレイヤーが容易に牌の模様を見ることができるようにする必要がある。
【０００３】
中華民国専利出願案第８７２２１２７８号「麻雀卓構造改良」中の記載は、麻雀卓の卓面周縁上に独立した可開放式卓枠を設置している。卓枠は、一側辺端縁にバネを設置し、卓面と相互に結合することに用い、これにより開放並びに弾性回復閉鎖の機能を得ることができる。同時に卓枠表面に特殊な傾斜角を形成し、卓枠内部に蛍光灯を設置し、卓枠側辺に複数の通孔を設け、蛍光灯の光線が通孔中から射出できるようにする。これによって、便利で迅速な麻雀パッド（紙）の敷設または交換を達成し、卓枠内部に設置した蛍光灯が発生する光線が通孔中から射出し、プレイヤーの牌面上に照射し、便利に牌を見る効果を達成する。但し、光線の出光角度は、卓枠の厚さの制限を受け、卓面に近い部分の牌面だけ照射でき、完全に全ての牌面を照射することができない。
【０００４】
また、米国特許第６１０９７５８号「ゲーム卓に用いる増光縞」明細書中に開示される複数の反射面を有する増光縞は、そのうち、増光縞がゲーム卓の辺縁に沿って配列される。ゲーム卓上方に設置する１つまたは複数の光源が卓面を照射する時、光線の一部が増光縞に入射した後、増光縞が光線をゲーム卓の中央に反射する。増光縞は、ゲーム卓とゲーム牌の牌面の光度を強化することに用い、そのうち、ゲーム牌の牌面は、増光縞に向き、且つゲーム卓の辺縁から離れている。増光縞を光線の反射に用いることによって、ゲーム牌の牌面を照らすことができるが、室内の光源の光度が不十分であり、増光縞を用いて光線を反射しても牌面を照らす効果は達成することができない。
【特許文献１】中華民国専利出願案第８７２２１２７８号
【特許文献２】米国特許第６１０９７５８号公報
【考案の開示】
【考案が解決しようとする課題】
【０００５】
本考案の目的は、光源モジュールを板体の収容空間中に設置することで、光源モジュールが発生する光線を板体上に配置され、収容空間付近に接近した物体を直接照射させ、光源の光度が不足した室内においても、照明光源を有する板体を直接利用し、照明の効果を達成することができる照明光源を有する板体構造を提供することである。
【課題を解決するための手段】
【０００６】
上記の目的を達成する為、本考案の提供する照明光源を有する板体構造は、第１表面と少なくとも１つの収容空間を有する板体と、収容空間中に設置される光源モジュールとを含む。
【０００７】
上記の照明光源を有する板体構造は、そのうち、板体が正方形板体であることができ、また、板体が４つの収容空間を有することができ、収容空間は、相互に垂直且つ平行であることができる。上記の収容空間は、貫通空間であることができ、または収容空間は、第２表面を有し、そのうち、第２表面が第１表面と平行であることができ、または第２表面が斜面であることができ、光源モジュールが第２表面上に設置されることができる。
【０００８】
上記の照明光源を有する板体構造は、そのうち、光源モジュールが発光二極体光源モジュールまたは灯管であることができる。
【０００９】
上記の照明光源を有する板体構造は、更に、光透過部材を有し、それが収容空間の上部に設置され、そのうち、光透過部材が第３表面を有し、且つ第３表面が第１表面と接合し平面としてなることができ、収容空間が更に、光透過部材を載置することに用いる載置部を有することができる。上記の光透過部材がアクリル、透明ガラス、曇りガラス、拡散板であることができる。
【考案の効果】
【００１０】
本考案の実施によって、少なくとも下記の効果を達成することができる。
１．光源モジュールを直接収容空間中に設置したので、板体自身に照明の機能を持たせることができる。
２．光源モジュールを直接収容空間中に設置したので、光線に板体上置いた物体を直接照射させる。
３．光透過部材を収容空間の上部に設置したので、板体表面が平滑表面となり、使用に便利である。
４．発光二極体光源モジュールを光源モジュールとして使用することで、節電効果を達成する。
【考案を実施するための最良の形態】
【００１１】
本考案の照明光源を有する板体構造の好適な実施例を図面に沿って説明する。
図１は本考案の実施例の照明光源を有する板体構造１０の実施例図である。図２は本考案の実施例１の図１における照明光源を有する板体構造１０のＡ−Ａ断面線に沿って切断した断面図である。図３は本考案の実施例２の図１おける照明光源の板体構造１０のＡ−Ａ断面線に沿って切断した断面図である。図４は本考案の実施例３の図１における照明光源の板体構造１０のＡ-Ａ断面線に沿って切断した断面図である。図５は本考案の実施例４の図１おける照明光源の板体構造１０のＡ−Ａ断面線に沿って切断した断面図である。
【００１２】
図１に示すように、本実施例は、照明光源を有する板体構造１０であり、板体１１と光源モジュール１２を含む。
【００１３】
板体１１は、第１表面１１１と少なくとも１つの収容空間１１２を有する。第１表面１１１は、板体１１の上表面であり、物体２０を載置することに用いることができ、例えば、麻雀牌を第１表面１１１上に置くことができる。図１に示すように、板体１１は、正方形板体であることができ、また板体１１は４つの収容空間１１２を有し、収容空間１１２の間は、相互に垂直且つ平行であり、正方形の板体の四辺に沿って四辺形を配列してなる。または、４つの収容空間１１２の間は、相互に連接し、１つの相互に連通した空間を形成することができる。板体１１は、ゲーム卓の卓板として応用でき、卓脚３０を結合し、照明光源を有するゲーム卓を形成することができる。
【００１４】
光源モジュール１２は、発光二極体光源モジュールまたは灯管であることができる。光源モジュール１２は、収容空間１１２中に設置し、光源モジュール１２が発生する光線は、収容空間１１２から板体１１の第１表面１１１に向かって射出し、光源モジュール１２が発光する光線を板体１１上に置かれ、収容空間１１２付近に接近する物体２０、例えば麻雀牌に直接投射するようにし、物体２０に十分な光線を獲得し、照明されるようにする。
【００１５】
発光二極体光源モジュールを光源モジュール１２として使用する時、省エネルギー効果を達成することができる以外に、更に発光二極体光源モジュールは、紫外光を射出せず、人体に害を与えることもない。また、発光二極体光源モジュールが冷光源であることによって、発光二極体光源モジュールが発生する光線が熱を有さず、夏季に本実施例の照明光源を有する板体構造１０を使用する時、使用者に熱の不快感を与えることがない。
【００１６】
上記の発光二極体光源モジュールは、白色発光二極体光源モジュール、または赤色発光二極体、緑色発光二極体、および青色発光二極体の組み合わせからなる発光二極体光源モジュールであることができる。使用者は、発光二極体モジュールが発生する光線の色味または光度を自ら調整し、使用者にとって最適な色味または光度を獲得することができる。
【００１７】
図２、図３、図４、図５に示すように、収容空間１１２は、第２表面１１３を有し、光源モジュール１２は、第２表面１１３上に設置されることができる。図２に示すように、第２表面１１３は、第１表面１１１と平行であることができる。光源モジュール１２が収容空間１１２の第２表面１１３上に設置される時、光源モジュール１２が発生する光線は、第１表面１１１向きの方向に射出され、一部の光線が第１表面１１１上に置かれた物体２０、例えば、麻雀牌を照明し、物体２０に十分な光度を提供し、使用者が長時間、物体２０を見る時、光度が不足することで、容易に疲労感を受けるということがない。
【００１８】
図４に示すように、第２表面１１３は、斜面であることもできる。光源モジュール１２が第２表面上に設置される時、第２表面１１３が斜面であり、光源モジュール１２の正向きの光強度が最大であるので、光源モジュール１２が発生する最大光強度を結うｓル卯光線が第１表面１１１上に置かれた物体２０を直接照明でき、物体２０が十分な光度を獲得できるようにする。
【００１９】
図２、図３、図４に示すように、本実施例の照明光源を有する板体構造１０は、更に光透過部材１３を有することができ、光透過部材１３は、アクリル、透明ガラス、曇りガラス、拡散板またはその他の類似する光を透過できる部材であることができる。
【００２０】
光透過部材１３は、収容空間１１２の上部に設置され、光透過部材１３は第３表面１３１を有する。光透過部材１３の第３表面１３１は板体１１の第１表面１１１と接合し、同一平面となり、板体１１の上表面が平滑表面を形成し、その他の突起物を有さないので、使用者のゲームの進行を妨害することがない。また、光透過部材１３の設置は、灰塵防止、または、例えば、麻雀牌等の物体２０が収容空間１１２中に落ちることを防止することに用いることもできる。
【００２１】
図３、図４に示すように、収容空間１１２は、更に載置部１１４を有し、載置部１１４は、光透光部材１３を載置することに用いることができる。言い換えれば、光透過部材１３を載置部１１４上に直接置き、光源モジュール１２の交換または修理が必要な時、使用者が光透過部材１３を直接取り出し、光源モジュール１２を便利に交換または修理することができる。
【００２２】
図５に示すように、収容空間１１２は、貫通空間であることもでき、光源モジュール１２は、先ず底板４０上に結合し、螺子５０によって光源モジュール１２を結合した底板４０を板体１１の下方に結合し、光源モジュール１２の位置を固定することができ、光源モジュール１２の修理または交換が必要な時、板体１１の下方から光源モジュール１２を交換または修理することができる。また、収容空間１１２の上部に、更に光透過部材１３を設置し、灰塵防止、または、例えば、麻雀牌等の物体２０が収容空間１１２中に落ちることを防止することに用いることもできる。
【００２３】
なお、本考案では好ましい実施例を前述の通り開示したが、これらは決して本考案に限定するものではなく、当業者が本考案の精神と領域を脱しない均等の範囲内で各種の変動や潤色を加えることができることは勿論である。
【図面の簡単な説明】
【００２４】
【図１】本考案の実施例の照明光源の板体構造実施例図である。
【図２】本考案の本考案の実施例１の図１における照明光源を有する板体構造１０のＡ−Ａ断面線に沿って切断した断面図である。
【図３】本考案の実施例２の図１における照明光源を有する板体構造１０のＡ−Ａ断面線に沿って切断した断面図である。
【図４】本考案の実施例３の図１における照明光源を有する板体構造１０のＡ−Ａ断面線に沿って切断した断面図である。
【図５】本考案の実施例４の図１における照明光源を有する板体構造１０のＡ−Ａ断面線に沿って切断した断面図である。
【符号の説明】
【００２５】
１０  照明光源の板体構造
１１  板体
１１１  第１表面
１１２  収容空間
１１３  第２表面
１１４  載置部
１２  光源モジュール
１３  光透過部材
１３１  第３表面
２０  物体
３０  卓脚
４０  底板
５０  螺子
【図１】
0003140627.tif 000003
【図２】
0003140627.tif 000004
【図３】
0003140627.tif 000005
【図４】
0003140627.tif 000006
【図５】
0003140627.tif 000007